(57)【特許請求の範囲】
【請求項１】
駆動軸を回転操作するためのハンドル装置において、
一端部に上記駆動軸に連結される連結部を有するハンドル本体と、
このハンドル本体の他端部に一端部が枢着されこのハンドル本体に対して折り畳まれた折り畳み状態と上記ハンドル本体の他端部から延出させた延出状態とに回動可能な第１の回転体と、
この第１の回転体の中途部もしくは他端部に枢着された第２の回転体と、
この第２の回転体に一端部が連結されたグリップと、
一端部が上記ハンドル本体の他端部に枢着され他端部が上記第２の回転体に枢着され上記第１の回転体を上記延出状態にしたときに上記第２の回転体を介して上記グリップを上記ハンドル本体に対して所定の角度で保持し、上記折り畳み状態にしたときに上記第１、第２の回転体とともに折り畳まれる連結部材と
を具備したことを特徴とするハンドル装置。
【請求項２】
上記ハンドル本体の他端部には、上記折り畳み状態において上記第１、第２の回転体及び上記連結部材が入り込む凹部が形成されていることを特徴とする請求項１記載のハンドル装置。
【請求項３】
上記ハンドル本体の他端部には、上記第１の回転体を折り畳んだ状態で弾性的に保持するばねが設けられていることを特徴とする請求項１記載のハンドル装置。
【発明の詳細な説明】
【０００１】
【発明の属する技術分野】
この発明はベッドや診察台などの床部を起伏させたり、昇降させるときなどに用いられるハンドル装置に関する。
【０００２】
【従来の技術】
ベッドや寝台などにおいては、利用者が上半身を起こしたり、医師が診察をし易くするためなどに、その床部を駆動機構によって起伏させたり、上下動させることができるようにしたものがある。
【０００３】
上記駆動機構を操作する手段としては、モータによって行う電動式のものがあるが、電動式は高価となるため、ハンドル装置を用いた手動式のものが用いられることが多い。
【０００４】
上記ハンドル装置は、一端部が上記駆動機構の駆動軸に連結されるハンドル本体を有し、このハンドル本体の他端部にはグリップが回転可能に設けられている。そして、操作者はこのグリップを把持して上記ハンドル本体を回転させることで、上記駆動機構を操作することができるようになっている。
【０００５】
【発明が解決しようとする課題】
ハンドル本体を回転させて駆動機構を操作する場合、ハンドル本体の長さが長い方が上記駆動機構に伝達される回転モーメントが大きくなるから、この駆動機構の操作がし易くなる。
【０００６】
しかしながら、ハンドル本体を長くすると、不使用時にハンドル本体が邪魔になったり、ベッドや寝台の外観を損なうということがあり、好ましくない。
【０００７】
この発明は、使用時には操作し易いように長くすることができ、不使用時には使用時に比べて全長を短くして格納することができるようにしたハンドル装置を提供することにある。
【０００８】
【課題を解決するための手段】
請求項１の発明は、駆動軸を回転操作するためのハンドル装置において、
一端部に上記駆動軸に連結される連結部を有するハンドル本体と、
このハンドル本体の他端部に一端部が枢着されこのハンドル本体に対して折り畳まれた折り畳み状態と上記ハンドル本体の他端部から延出させた延出状態とに回動可能な第１の回転体と、
この第１の回転体の中途部もしくは他端部に枢着された第２の回転体と、
この第２の回転体に一端部が連結されたグリップと、
一端部が上記ハンドル本体の他端部に枢着され他端部が上記第２の回転体に枢着され上記第１の回転体を上記延出状態にしたときに上記第２の回転体を介して上記グリップを上記ハンドル本体に対して所定の角度で保持し、上記折り畳み状態にしたときに上記第１、第２の回転体とともに折り畳まれる連結部材と
を具備したことを特徴とするハンドル装置にある。
【０００９】
請求項２の発明は、上記ハンドル本体の他端部には、上記折り畳み状態において上記第１、第２の回転体及び上記連結部材が入り込む凹部が形成されていることを特徴とする請求項１記載のハンドル装置にある。
【００１０】
請求項３の発明は、上記ハンドル本体の他端部には、上記第１の回転体を折り畳んだ状態で弾性的に保持するばねが設けられていることを特徴とする請求項１記載のハンドル装置にある。
【００１１】
請求項１の発明によれば、使用時には第１の回転体がハンドル本体の他端部から延出するため、その分、全体の長さを長くしてハンドル本体をグリップによって回転操作することができ、不使用時には上記第１の回転体をハンドル本体に対して折り畳めるから、使用時に比べて全体の長さを短くすることができる。
【００１２】
請求項２の発明によれば、不使用時に折り畳むと、第１、第２の回転体及び連結部材がハンドル本体の他端部に形成された凹部に入り込むため、折り畳み状態をコンパクトにすることができる。
【００１３】
請求項３の発明によれば、第１の回転体が折り畳まれた状態でばねによって弾性的に保持されるから、不使用時にグリップが不用意に倒れるのを防止できる。
【００１４】
【発明の実施の形態】
以下、この発明の一実施の形態を図面を参照しながら説明する。
【００１５】
図１に示すこの発明のハンドル装置は合成樹脂によって成形されたハンドル本体１を備えている。このハンドル本体１の一端部には、成形時に断面六角形の連結部としての連結軸２の一端部が埋設されている。この連結軸２は、他端部を上記ハンドル本体１の一側面から突出させている。
【００１６】
上記連結軸２の他端部にはねじ孔３が形成されている。図３（ｂ）に鎖線で示すように、連結軸２には伝達部材５の一端部が上記ねじ孔３を介して図示しないねじによって連結されている。伝達部材５の他端部は図示しないベッドや診察台などの床部を駆動する駆動機構の駆動軸４に連結固定される。
【００１７】
上記ハンドル本体１の上記連結軸２が埋設された一端部を除く部分は、この一端部よりも厚さ寸法が薄い段部６に形成されている。この段部６の端部である、ハンドル本体１の他端部には、ハンドル本体１の厚さ方向両側面及び端面の三方向に開放した凹部７が形成されている。
【００１８】
上記凹部７を形成する一対の側壁８の端部には第１の支軸１１、第２の支軸１２及び係止軸１３が架設されている。第１の支軸１１にはコ字状をなした金属製の第１の回転体１４の一端部が開放した一側面を上記段部６と同じ方向に向けて回動可能に連結されている。この第１の回転体１４の中途部もしくは他端部、この実施の形態では中途部には側面形状が五角形状をなしたブロック状の第２の回転体１５の一端部側の下側の角部が第１の連結軸１６によって回動可能に連結されている。
【００１９】
上記第２の回転体１５は合成樹脂によって成形されていて、成形時にその他端部側にはグリップ１７が連結されている。グリップ１７は本体部１８を有し、この本体部１８には回転軸１９の一端部が回転可能に連結され、他端部は上記第２の回転体１５の他端部に埋設固定されている。それによって、グリップ１７は上記第２の回転体１５の他端部の側面１５ａに一体的かつ回転可能に連結される。
【００２０】
上記第２の支軸１２には断面形状がコ字状をなした金属製の連結部材２１の一端部が回動可能に連結されている。この連結部材２１の他端部は、上記第２の回転体１５の一端部の上記第１の回転体１４が連結された角部と異なる上側の角部に第２の連結軸２２によって回動可能に連結されている。
【００２１】
図２に示すように、第２の回転体１５の上記連結部材２１が連結される上側の角部の両側面には、上記連結部材２１の一端部が係合当接する一対の段部２３が形成され、さらに第２の回転体１５の一対の段部２３の間の部分には、この第２の回転体１５の一端部を厚さ方向に弾性的に変形可能とするスリット２４が形成されている。それによって、連結部材２１の他端部は、上記第２の回転体１５の段部２３に、この第２の回転体１５を厚さ方向に弾性的に変形させて圧接状態で連結されている。
【００２２】
上記第２の支軸１２には捩りコイルばね２５が装着されている。この捩りコイルばね２５は一端を上記連結部材２１に係合させ、他端を上記第１の支軸１１に係合させている。それによって、上記捩りコイルばね２５は上記連結部材２１を図４（ｂ）に矢印で示す起立方向に付勢している。
【００２３】
一端部が上記第１の支軸１１に連結された第１の回転体１４は、図４（ａ）に示すようにハンドル本体１に形成された凹部７内に入り込んでハンドル本体１に接合する折り畳み状態と、図４（ｂ）に示すようにハンドル本体１の他端部から下方へほぼ一直線に延出する延出状態とに回動させることができるようになっている。
【００２４】
上記第１の回転体１４の回動に上記第２の回転体１５と連結部材２１とが連動する。つまり、折り畳み状態では第１の回転体１４がハンドル本体１に対向し、上記第２の回転体１５と連結部材２１とが上記第１の回転体１４とともに上記凹部７内に一部が入り込む状態に折り畳まれ、さらに第２の回転体１５に連結されたグリップ１７がハンドル本体１の段部６に接合する。
【００２５】
延出状態では、第１の回転体１４がハンドル本体１とほぼ一直線になった状態で、第１の回転体１４の一端部に形成された斜面１４ａが上記係止軸１３に当たって第１の回転体１４の延出方向の回動が規制され、さらに第１の回転体１４に対する第２の回転体１５の回動角度が連結部材２１によって規制される。それによって、第２の回転体１５に連結されたグリップ１７はハンドル本体１に対してほぼ直角に保持されるようになっている。
【００２６】
上記捩りコイルばね２３は、第１の回転体１４が図４（ｂ）に示す延出状態にあるときには復元力に抗して弾性的に変形させられ、図４（ａ）に示す折り畳み状態にあるときには連結部材２１を介して第１、第２の回転体１４，１５を、これらの一部が凹部７内に入り込んだ折り畳み状態で弾性的に保持する。
【００２７】
それによって、ハンドル本体１の段部６に接合したグリップ１７が不用意に倒伏するのを阻止している。つまり、ハンドル装置はハンドル本体１に対してグリップ１７を折り畳んだ状態で倒伏不能に弾性的に保持できるようになっている。
【００２８】
このように構成されたハンドル装置によれば、図４（ｂ）に示す使用時の延出状態においては、ハンドル本体１の端部から第１の回転体１４が下方へほぼ一直線に延出し、さらにグリップ１７が連結部材２１によってハンドル本体１とほぼ直角に保持される。
【００２９】
そのため、操作者がグリップ１７を把持してハンドル本体１を回転操作する場合、図４（ｂ）に示すように、連結軸２を回転中心にする上記グリップ１７の回転半径Ｒは、連結軸２を回転中心とするハンドル本体１の回転半径、つまりハンドル本体１の連結軸２の回転中心末端までの長さ寸法Ｌよりも長くなる。
【００３０】
そのため、上記駆動軸４には、ハンドル本体１の長さ寸法Ｌに比べて大きな回転半径Ｒで回転モーメントを伝達することができるから、このハンドル本体１の回転操作を軽い力で容易に行うことができる。
【００３１】
しかも、グリップ１７は、連結部材２１によってハンドル本体１に対してほぼ直角に保持されるから、そのことによっても、ハンドル本体１の回転操作を安定した状態で確実に行うことができる。
【００３２】
図４（ａ）に示すように、ハンドル装置を使用しない、折り畳み状態においては、グリップ１７を図４（ｂ）に示す倒伏状態から起立方向へ回動させ、ハンドル本体１に形成された段部６に接合させる。それによって、第１、第２の回転体１４、１５の一部及び連結部材２１がハンドル本体１の端部に形成された凹部７に入り込み、その状態で捩りコイルばね２５によって弾性的に保持される。
【００３３】
そのため、ハンドル装置を、使用時の長さ寸法に比べて短い寸法にすることができるから、不使用時にハンドル装置が邪魔になりにくいばかりか、コンパクトに折り畳まれるため、外観的にも体裁がよい。
【００３４】
しかも、ハンドル装置の折り畳み状態は、捩りコイルばね２５によって弾性的に保持されるため、グリップ１７が不用意に倒伏するようなことがないばかりか、グリップ１７がハンドル本体１の段部６に接合しているため、そのことによっても折り畳み状態をコンパクトにできる。
【００３５】
上記一実施の形態では、折り畳み状態でグリップ１７や第１、第２の回転体１４，１５を保持するために捩りコイルばね２５を用いたが、第２の回転体１５の段部２３と連結部材２１との圧接抵抗を大きくすれば、上記捩りコイルばね２５がなくとも、グリップ１７が倒伏しないよう折り畳み状態を維持することができる。
【００３６】
【発明の効果】
以上のように、請求項１の発明によれば、使用時には第１の回転体がハンドル本体の端部から延出し、グリップが第１、第２の回転体及び連結部材を介してハンドル本体に対しほぼ直角に保持されるため、その分、全体の長さを長くしてハンドル本体をグリップによって軽い力で楽に回転操作することができる。また、不使用時には上記第１の回転体をグリップとともに折り畳み、使用時に比べて全体の長さ寸法を短くすることで、全体をコンパクトにできる。
【００３７】
請求項２の発明によれば、不使用時に折り畳むと、第１、第２の回転体及び連結部材がハンドル本体の他端部に形成された凹部に入り込むため、折り畳み状態をコンパクトにすることができる。
【００３８】
請求項３の発明によれば、ハンドル装置はばねによって折り畳まれた状態が弾性的に保持されるから、不使用時にグリップが不用意に倒れるのを防止できる。
【図面の簡単な説明】
【図１】この発明の一実施の形態を示すハンドル装置の斜視図。
【図２】同じくハンドル装置の分解斜視図。
【図３】（ａ）は不使用時に折り畳んだ状態を示す側面図、（ｂ）は使用時の展開状態を示す側面図。
【図４】（ａ）は不使用時に折り畳んだ状態を示す断面図、（ｂ）は使用時の展開状態を示す断面図。
【図５】グリップが使用時と不使用時の中間の位置にある状態の断面図。
【符号の説明】
１…ハンドル本体
２…連結軸（連結部）
４…駆動軸
１４…第１の回転体
１５…第２の回転体
１７…グリップ
２１…連結部材
２５…捩りコイルばね
【図１】
0003766588.tif 000002
【図２】
0003766588.tif 000003
【図３】
0003766588.tif 000004
【図４】
0003766588.tif 000005
【図５】
0003766588.tif 000006